(57)【要約】【課題】排水処理における曝気撹拌方法において、処理槽の形状や気泡流発生手段の配置によって処理槽内に渦流や淀みが発生する場合でも、処理槽内の撹拌を均一に行うことを目的とする。【解決手段】排水の流入管１０と流出管１１を有する排水処理槽１と、排水処理槽１内に配置した複数の気泡噴流発生手段２ａ、２ｂを備え、複数の気泡流発生手段２ａ、２ｂから発生する複数の気泡噴流４ａ、４ｂのエアリフト効果によって持上げられた複数の水流どうしを、排水処理槽１内の水面近傍の表層で衝突させることによってダウンフロー５を発生させ、複数のエアレーター２ａ、２ｂへ供給する空気量のバランスを変えることで、ダウンフロー５の位置を変化させるものである。【選択図】図１
2008073615.tif 000002
【特許請求の範囲】
【請求項１】
排水の流入口と流出口を有する処理槽と、前記処理槽内に配置した複数の気泡流発生手段を備え、前記複数の気泡流発生手段から発生する複数の気泡噴流のエアリフト効果による複数の水流を衝突させることによってダウンフローを発生させ、前記複数の気泡流発生手段へ供給する空気量のバランスを変えることで、前記ダウンフローの位置を変化させることを特徴とする曝気撹拌方法。
【請求項２】
前記ダウンフローの位置の変化を自動的に行うことを特徴とする請求項１に記載の曝気撹拌方法。
【請求項３】
前記処理槽内の略全体に渡って前記ダウンフローの位置を変化させることを特徴とする請求項２に記載の曝気撹拌方法。
【請求項４】
前記複数の気泡流発生手段は、前記処理槽内の空間を挟んで対向するように配置したことを特徴とする請求項１から３いずれか１項に記載の曝気撹拌方法。
【請求項５】
前記対向する気泡流発生手段とは垂直となる方向に表層流案内板を設け、前記表層流案内板の上端を水面よりも上に設けたことを特徴とする請求項４に記載の曝気撹拌方法。
【請求項６】
前記複数の気泡流発生手段は、前記処理槽内の空間を囲むように配置したことを特徴とする請求項１から３いずれか１項に記載の曝気撹拌方法。
【請求項７】
前記処理槽を円形断面とし、前記複数の気泡流発生手段は、前記処理槽内の円形断面中心部と、前記処理槽内壁に沿った内周の同心円部に、前記処理槽内の空間を挟んで対向して配置したことを特徴とする請求項１から３いずれか１項に記載の曝気撹拌方法。
【請求項８】
前記円形断面中心部から放射状にラジアル表層流案内板を設け、前記ラジアル表層流案内板の上端を水面よりも上に設けたことを特徴とする請求項７に記載の曝気撹拌方法。
【請求項９】
前記複数の気泡流発生手段から発生する複数の気泡噴流のエアリフト効果による水流の衝突線を目印として、前記複数の気泡流発生手段へ供給する空気量のバランスを変えることで、前記水流が衝突することによって発生するダウンフローの位置を任意に設定することを特徴とする請求項１から８いずれか１項に記載の曝気撹拌方法。
【請求項１０】
前記処理槽の水面を照らす照明を備え、前記処理槽の水面が暗い場合でも、前記衝突線が視認できることを特徴とする請求項９に記載の曝気撹拌方法。
【請求項１１】
前記照明は赤外線照明で、赤外線カメラにて前記衝突線が視認できることを特徴とする請求項１０に記載の曝気撹拌方法。
【請求項１２】
前記処理槽は、前記処理槽の水面を覆う蓋を備え、前記蓋には前記衝突線を視認できるように開口部を設けたことを特徴とする請求項１０に記載の曝気撹拌方法。
【請求項１３】
前記処理槽に流動担体を投入したことを特徴とする請求項１から１２いずれか１項に記載の曝気撹拌方法。
【発明の詳細な説明】
【技術分野】
【０００１】
本発明は排水処理における曝気撹拌方法に関するものである。
【背景技術】
【０００２】
排水処理における従来の曝気撹拌方法としては、全面曝気式、準全面曝気式や旋回流式等が知られている。
【０００３】
全面曝気式は図７に示すように、排水処理槽１０１の底面近傍全面に渡ってエアレーターや散気管などの散気装置１０２を配置し、散気装置１０２から噴出する気泡によって排水処理槽１０１全体を曝気撹拌するものである。全面曝気式では排水処理槽の底面近傍全面から気泡を噴出するため、排水処理槽全体を均一に撹拌することができるが、散気装置を多数配置しなければならないため、イニシャルコストが高くなるのが難点である。
【０００４】
準全面曝気式は図８に示すように、排水処理槽１０１の片側下方に散気装置１０２を配置し、散気装置１０２から噴出する気泡によるエアリフト効果によって緩やかな旋回流を発生させ、排水処理槽１０１を曝気撹拌するものである。
【０００５】
準全面曝気式では散気装置１０２を排水処理槽１０１の片側下方に配置するため、全面曝気式よりも散気装置を少なく、イニシャルコストを低くすることができるが、図８に矢印で示すように槽壁近傍においてのみ速度の大きなダウンフロー１０５が発生し、水槽内の水流の速度分布に不均一が生じ、結果として排水処理槽１０１内の撹拌が不均一になるのが難点である。
【０００６】
旋回流式は図９に示すように、排水処理槽１０１内に案内板１０６を配置し、案内板１０６によって仕切られた排水処理槽１０１の片側下方に散気装置１０２を配置し、散気装置１０２から噴出する気泡によるエアリフト効果によって旋回流を発生させ、排水処理槽１０１内を曝気撹拌するものである。
【０００７】
旋回流式では案内板１０６によって準全面曝気よりもエアリフト効果が大きくなるため、排水処理槽１０１の水深が１０ｍ以上にもなる深層曝気といわれる方式で用いられることが多い。すなわち、エアリフト効果が大きいために、排水処理槽１０１の水深の中間部分に散気装置１０２を配置することが可能となり、曝気用エアーを供給するブロアの圧力を低く抑え、曝気に要する消費電力を低減することが可能となる。
【０００８】
しかし、準全面曝気式同様に図９に矢印で示すように槽壁近傍においてのみ速度の大きなダウンフロー１０５が発生し、水槽内の水流の速度分布に不均一が生じ、結果として排水処理槽１０１内の撹拌が不均一になるのが難点である。
【０００９】
これに対し、図１０に示すように、排水処理槽１０１の底部形状を旋回流の流れ方向に所定の曲率面を有する湾曲面形状に形成することで、排水処理槽底部の流れが下向流から上向流に方向転換する際の流動抵抗を小さくしたり、排水処理槽１０１底部の形状と同一の円弧状を有する２枚の水路形成板１０８を排水処理槽１０１底部と平行に配設し、仕切板１０７と排水処理槽１０１底部との間の水路を３水路Ａ、Ｂ、Ｃに分割するとともに、２枚の水路形成板１０８の水路出口位置に流量調整ダンパ１４８を設けて、水路Ａと水路Ｂの流量を任意に調節することで排水処理槽１０１内の水流の速度分布を均一にする方法が提案されている（例えば特許文献１参照）。
【特許文献１】特開平７−８９８２号公報（第８頁、図６）
【発明の開示】
【発明が解決しようとする課題】
【００１０】
しかしながら、エアリフト効果によって持ち上げられた水流は排水処理槽内の水面の表層を壁面に向かって流れる特性をもっているため、このように排水処理槽底部を湾曲形状に形成したり、水路形成板を設けても、図１０に示すようにダウンフローと仕切板との間に渦流が発生し、水流の流速の不均一となり、結果として排水処理槽内の撹拌が不均一になるという課題があった。
【００１１】
そこで、本発明はこのような課題を解決して、排水処理槽内の撹拌を均一に行うことを目的とする。
【課題を解決するための手段】
【００１２】
本発明の曝気撹拌方法は上記目的を達成するために、排水の流入口と流出口を有する処理槽と、処理槽内に配置した複数の気泡噴流発生手段を備え、複数の気泡流発生手段から発生する複数の気泡噴流のエアリフト効果によって持上げられた複数の水流どうしを、処理槽内の水面近傍の表層で衝突させることによってダウンフローを発生させ、複数の気泡流発生手段へ供給する空気量のバランスを変えることで、ダウンフローの位置を変化させるものである。
【００１３】
この手段により、処理槽内の水流の流速分布を変化させることができ、排水処理槽内の撹拌を均一に行うことができる。
【発明の効果】
【００１４】
本発明の曝気撹拌方法によれば、処理槽の形状や気泡流発生手段の配置によって処理槽内に渦流や淀みが発生する場合でも、水流の流速分布を変化させることによって、撹拌を均一に行うことが可能となる。
【発明を実施するための最良の形態】
【００１５】
本発明の第１の実施の形態による曝気撹拌方法は、排水の流入口と流出口を有する処理槽と、処理槽内に配置した複数の気泡流発生手段を備え、複数の気泡流発生手段から発生する複数の気泡噴流のエアリフト効果による複数の水流を衝突させることによってダウンフローを発生させ、複数の気泡流発生手段へ供給する空気量のバランスを変えることで、ダウンフローの位置を変化させるものである。
【００１６】
本実施の形態によれば、処理槽内での水流の流速分布を変化させ、渦流や淀みの発生している部分を流速の速いダウンフローで撹拌することが可能となる。
【００１７】
本発明の第２の実施の形態による曝気撹拌方法は、第１の実施の形態による曝気撹拌方法において、ダウンフローの位置の変化を自動的に行うものである。
【００１８】
本実施の形態によれば、流速の速いダウンフローが処理槽内の所定空間を自動的に移動することになり、処理槽内の所定空間の流速分布を自動的に均一にすることができる。
【００１９】
本発明の第３の実施の形態による曝気撹拌方法は、第２の実施の形態による曝気撹拌方法において、処理槽内の略全体に渡ってダウンフローの位置を変化させるものである。
【００２０】
本実施の形態によれば、処理槽内の略全体に渡って均一に撹拌することができる。
【００２１】
本発明の第４の実施の形態による曝気撹拌方法は、第１から第３いずれか一つの実施の形態による曝気撹拌方法において、複数の気泡流発生手段は、処理槽内の空間を挟んで対向するように配置したものである。
【００２２】
本実施の形態によれば、処理槽内の空間を挟んで対向するように配置した気泡流発生手段から噴出する空気によるエアリフト効果によって持ち上げられた水流どうしを、排水処理槽内の水面近傍の表層で衝突させ、１つのより流速の速いダウンフローを発生させることができる。また、対向するように配置した気泡噴流発生手段から噴出する空気量のバランスを変えることで、１つのダウンフローの発生位置を任意に設定することも可能となり、排水処理槽内での水流の流速分布を任意に制御することができる。
【００２３】
本発明の第５の実施の形態による曝気撹拌方法は、第４の実施の形態による曝気撹拌法において、対向する気泡流発生手段とは垂直となる方向に表層流案内板を設け、表層流案内板の上端を水面よりも上に設けたものである。
【００２４】
本実施の形態によれば、気泡流発生手段から噴出する空気によるエアリフト効果によって持ち上げられた水流による排水処理槽内の水面近傍の表層流れが、表層流案内板によって整流されるため、水流どうしを均一に衝突させることができ、ダウンフローの速度分布も均一にすることができる。
【００２５】
本発明の第６の実施の形態による曝気撹拌方法は、第１から第３いずれか１つの実施の形態による曝気撹拌方法において、気泡噴流発生手段は処理槽内の空間を囲むように配置したものである。
【００２６】
本実施の形態によれば、処理槽内の空間を囲むように配置した気泡流発生手段から噴出する空気によるエアリフト効果によって持ち上げられた水流どうしを、排水処理槽内の水面近傍の表層で衝突させ、複数のダウンフローを発生させることができる。また、空間を囲むように配置した気泡流発生手段から噴出する空気量のバランスを変えることで、複数のダウンフローの発生位置を任意に設定することも可能となり、排水処理槽内での水流の流速分布を任意に制御することができる。
【００２７】
本発明の第７の実施の形態による曝気撹拌方法は、第１から第３いずれか１つの実施の形態による曝気撹拌方法において、処理槽を円形断面とし、複数の気泡流発生手段は、処理槽内の円形断面中心部と、処理槽内壁に沿った内周の同心円部に、処理槽内の空間を挟んで対向して配置したものである。
【００２８】
本実施の形態によれば、処理槽内の円形断面中心部と、処理槽内壁に沿った内周の同心円部に、空間を挟んで対向するように配置した気泡流発生手段から噴出する空気によるエアリフト効果によって持ち上げられた水流どうしを、排水処理槽内の水面近傍の表層で衝突させ、環状のダウンフローを発生させることができる。また、対向するように配置した気泡流発生手段から噴出する空気量のバランスを変えることで、環状のダウンフローの発生位置を任意に設定することも可能となり、排水処理槽内での水流の流速分布を任意に制御することができる。
【００２９】
本発明の第８の実施の形態による曝気撹拌方法は、円形断面中心部から放射状にラジアル表層流案内板を設け、ラジアル表層流案内板の上端を水面よりも上に設けたものである。
【００３０】
本実施の形態によれば、気泡流発生手段から噴出する空気によるエアリフト効果によって持ち上げられた水流による排水処理槽内の水面近傍の表層流れが、ラジアル表層流案内板によって整流されるため、水流どうしを均一に衝突させることができ、ダウンフローの速度分布も均一にすることができる。
【００３１】
本発明の第９の実施の形態による曝気撹拌方法は、第１から第８いずれか１つの実施の形態による曝気撹拌方法において、複数の気泡流発生手段から発生する複数の気泡噴流のエアリフト効果による水流の衝突線を目印として、複数の気泡流発生手段へ供給する空気量のバランスを変えることで、水流が衝突することによって発生するダウンフローの位置を任意に設定するものである。
【００３２】
本実施の形態によれば、衝突線を目視しながら空気量のバランスを変えることができ、衝突線を目標の位置に容易に設定できるようになる。
【００３３】
本発明の第１０の実施の形態による曝気撹拌方法は、第９の実施の形態の曝気撹拌方法において、処理槽の水面を照らす照明を備え、処理槽の水面が暗い場合でも、衝突線が視認できるものである。
【００３４】
本実施の形態によれば、夜間や雨天時など衝突線を視認するために十分な光がない場合には、照明によって処理槽の水面を照らし、衝突線を視認することができる。
【００３５】
本発明の第１１の実施の形態による曝気撹拌方法は、第１０の実施の形態の曝気撹拌方法において、照明は赤外線照明で、赤外線カメラにて衝突線が視認できるものである。
【００３６】
本実施の形態によれば、夜間や雨天時など衝突線を視認するために十分な光がない場合には、赤外線照明によって処理槽の水面を照らし、赤外線カメラにて衝突線を視認することができる。
【００３７】
本発明の第１２の実施の形態による曝気撹拌方法は、第１０の実施の形態の曝気撹拌方法において、処理槽は、処理槽の水面を覆う蓋を備え、蓋には衝突線を視認できるように開口部を設けたものである。
【００３８】
本実施の形態によれば、処理槽からの臭気等の発生を防止するために処理槽の水面を覆う蓋を備えた場合でも、開口部から衝突線を視認することができる。
【００３９】
本発明の第１３の実施の形態による曝気撹拌方法は、第１から第１２いずれか１項に記載の曝気撹拌方法において、処理槽に流動担体を投入したものである。
【００４０】
本実施の形態によれば、流動担体は停滞することなく、処理槽内を流動する。
【実施例】
【００４１】
以下、本発明の実施例について図面を用いて説明する。
【００４２】
（実施例１）
図１は本発明の曝気撹拌方法による排水処理槽の構成図である。
【００４３】
排水処理槽１は流入管１０を介して、工場等からの排水を流入させ、一定時間曝気撹拌した後、流出管１１から流出させるようになっている。排水処理槽１の底面近傍にはエアレーター２ａ、２ｂが排水処理槽１内の対向する壁面近傍に配置してあり、エアレーター２ａ、２ｂにはそれぞれ空気配管３ａ、３ｂによってブロアやコンプレッサー等から曝気用の空気が供給されるようになっている。
【００４４】
また、空気配管３ａ、３ｂにはそれぞれ空気量調節弁９ａ、９ｂが設置してあり、エアレーター２ａ、２ｂへ供給する空気量のバランスを調節できるようになっている。表層流案内板３１は上端が水面よりも上となるように配置されている。
【００４５】
このように表層流案内板３１を配置することで、表層流２０ａ、２０ｂを整流し、お互いに正面から衝突させ、ダウンフロー５を安定して発生させることができる。
【００４６】
図１は空気量調節弁９ａ、９ｂをエアレーター２ａ、２ｂへ供給する空気量がほぼ同量となるように調節した場合であり、エアレーター２ａ、２ｂから噴出する空気による気泡噴流４ａ、４ｂのエアリフト効果もほぼ同じであるため、表層流２０ａ、２０ｂを排水処理槽１の中心部分で衝突させて衝突線２１を形成させ、流速の速いダウンフロー５を衝突線２１の下側に発生させることができる。
【００４７】
請求項及び明細書で記載の「ダウンフローの位置」とは、上記の衝突線の下側に発生した流速の速いダウンフローの位置を指している。また、「流速分布の制御」とは、このダウンフローの位置を変化させることにより、流速分布における最高流速の位置を変えることであり、結果として、所定時間内の平均流速を均一化することになる。
【００４８】
尚、ダウンフロー５の位置を変化させる場合は、衝突線２１を目印として空気量調節弁９ａと９ｂを調節するが、夜間や雨天時などのように暗い場合は、照明５１を点灯し、衝突線２１を視認することができる。また、照明５１の代わりに赤外線を使用した場合は、赤外線カメラ５２を使って衝突線２１を視認することができる。
【００４９】
図２は図１に対して、空気量調節弁９ａを空気量調節弁９ｂよりも絞ることで、エアレーター２ａよりエアレーター２ｂへ供給する空気量を大きくした場合を示している。
【００５０】
気泡噴流によるエアリフト効果はエアレーターの供給空気量とともに増大することが知られており、エアレーター２ａから噴出する空気の気泡噴流４ａのエアリフト効果によって発生する表層流２０ａよりも、気泡噴流４ｂのエアリフト効果によって発生する表層流２０ｂの方が大きくなる。
【００５１】
このため、表層流２０ａ、２０ｂの衝突線２１は排水処理槽１内のエアレーター２ａ寄りに移動し、流速の速いダウンフロー５を衝突線２１の下側に発生させることができる。
【００５２】
また、空気量調節弁９ａ、９ｂを電動弁や空圧弁として、コンピューターによって所定時間間隔あるいは連続的に自動調節することで、ダウンフロー５の発生位置を制御し、所定時間間隔あるいは連続的にダウンフロー５の位置を変化させることで、排水処理槽１内の曝気撹拌を均一に行うことが可能となる。
【００５３】
このため、排水処理槽１内にスポンジ等でできた流動担体を投入しても、流動担体が排水処理槽１の底面に沈降することなく、良好な処理を行うことができる。尚、排水処理槽１内の略全体の曝気撹拌を均一に行うためには、排水処理槽１の内壁近傍にエアレーター２ａ、２ｂを設置するのが好ましい。
【００５４】
図３は図１、図２に示す本発明の一実施例の排水処理槽を上からみた構成図である。
【００５５】
排水処理槽１にはエアレーター２ａ、２ｃ、２ｅ、２ｇと２ｂ、２ｄ、２ｆ、２ｈが対向して配置してある。また、図３のように排水処理槽１がエアレーターの長手方向に細長い形状のため、複数の表層流案内板３１が所定間隔でエアレーターと直交する方向に配置してある。
【００５６】
エアレーター２ａ、２ｃ、２ｅ、２ｇとエアレーター２ｂ、２ｄ、２ｆ、２ｈへ供給する空気量がほぼ同じ場合、表層流どうしは排水処理槽中心近傍で衝突し、衝突線２１ａを形成する。また、エアレーター２ａ、２ｃ、２ｅ、２ｇとエアレーター２ｂ、２ｄ、２ｆ、２ｈへ供給する空気量を大きくした場合、表層流どうしはエアレーター２ａ、２ｃ、２ｅ、２ｇ寄りで衝突し、衝突線２１ｂを形成する。
【００５７】
このように、衝突線２１ａ、２１ｂを監視しつつ、エアレーター２ａ、２ｃ、２ｅ、２ｇとエアレーター２ｂ、２ｄ、２ｆ、２ｈへ供給する空気量のバランスを調節することで、表層流が衝突する位置を任意に設定することができ、排水処理槽１内の任意の位置にダウンフローを発生させるように制御することが可能となる。
【００５８】
排水処理槽１からの臭気等の発生を防止するために、排水処理槽１に蓋を設ける場合は、蓋に樹脂もしくはガラスなどの透明な材質で開口部１５を設けることで、開口部１５から衝突線２１ａ、２１ｂを視認できるようにすることができる。尚、開口部１５は蓋に複数箇所設けてもよい。
【００５９】
（実施例２）
図４は本発明の他の実施例を示しており、排水処理槽を上からみた構成図である。
【００６０】
排水処理槽１の底面近傍には４つのエアレーター３２ａ、３２ｂ、３２ｃ、３２ｄが排水処理槽１内の空間を囲むように壁面近傍に配置してあり、エアレーター３２ａ、３２ｂ、３２ｃ、３２ｄへは空気配管３３ａ、３３ｂ、３３ｃ、３３ｄによってブロアやコンプレッサー等から曝気用の空気が供給されるようになっている。
【００６１】
また、エアレーター３２ａ、３２ｂ、３２ｃ、３２ｄへ供給する空気量のバランスは空気量調節弁９ａ、９ｂ、９ｃ、９ｄによって調節できるようになっている。
【００６２】
例えば、エアレーター３２ａ、３２ｂ、３２ｃ、３２ｄへ供給する空気量がほぼ同量となるように空気量調節弁９ａ、９ｂ、９ｃ、９ｄを調節した場合、エアレーター３２ａ、３２ｂ、３２ｃ、３２ｄの気泡噴流によって発生する４つの表層流は衝突点２２ａを頂点として、４本の衝突線２２ｂ、２２ｃ、２２ｄ、２２ｅを形成する。
【００６３】
また、エアレーター３２ａよりもエアレーター３２ｂへ供給する空気量を大きくし、エアレーター３２ｄよりもエアレーター３２ｃへ供給する空気量を大きくすると、気泡噴流によって発生する表層流の衝突点は２３ａへと移動し、衝突点２３ａを頂点として４本の衝突線２３ｂ、２３ｃ、２３ｄ、２３ｅを形成する。
【００６４】
このように、衝突点２２ａ、２３ａを監視しつつ、エアレーター３２ａ、３２ｂ、３２ｃ、３２ｄへ供給する空気量のバランスを調節することで、実施例１に比べ、表層流が衝突する位置をより精細に設定できるとともに、複数のダウンフローを発生させることが可能となり、より均一な曝気撹拌が可能となる。
【００６５】
（実施例３）
図５と図６は本発明の他の実施例を示している。図５は本発明の実施例３を示す曝気撹拌方法による排水処理槽の構成図であり、図６は本発明の実施例３を示す曝気撹拌方法による排水処理槽を上からみた構成図である。
【００６６】
排水処理槽４１は円形断面であり、排水処理槽４１底部近傍の中心部分には中心エアレーター４２ｆが配置されており、中心エアレーター４２ｆによる気泡噴流のエアリフト効果によって放射状に外側へ向かう表層流が発生する。一方、排水処理槽１底部近傍の内壁近傍の同心円部に内周エアレーター４２ｇが配置されており、内周エアレーター４２ｇによる気泡噴流のエアリフト効果によって放射状に内側へ向かう表層流が発生する。
【００６７】
また、中心エアレーター４２ｆや内周エアレーター４２ｇに供給する空気量のバランスは中心空気量調整弁４９ｆと内周空気量調整弁４９ｇによって調節できるようになっている。
【００６８】
これらの表層流は、排水処理槽４１の水面近傍に上端が水面よりも上となるように放射状に設置されたラジアル表層流案内板３１ｒによって整流されて衝突し、環状の衝突線２１ｃとダウンフロー５を形成する。
【００６９】
中心エアレーター４２ｆと内周エアレーター４２ｇへ供給する空気量はほぼ同じ場合、中心エアレーター４２ｆと内周エアレーター４２ｇの中間部分で環状の衝突線２１ｄを形成し、中心エアレーター４２ｆよりも内周エアレーター４２ｇへ供給する空気量を少なくした場合、内周エアレーター４２ｇ寄りで環状の衝突線２１ｃを形成する。
【００７０】
このように環状の衝突線２１ｃ、２１ｄを監視しつつ、中心エアレーター４２ｆや内周エアレーター４２ｇへ供給する空気量のバランスを調節することで、表層流が衝突する位置を任意に設定することができ、排水処理槽４１内の任意の位置にダウンフローを発生させるように制御をすることが可能なり、排水処理槽４１内を均一に撹拌することができる。
【００７１】
このため、排水処理槽４１内にスポンジ等でできた流動担体を投入しても、流動担体が排水処理槽４１の底面に沈降することなく、良好な処理を行うことができる。尚、排水処理槽４１の断面形状は楕円形でもよい。
【産業上の利用可能性】
【００７２】
本発明による曝気撹拌方法は、工場や、排水処理施設などから排出されるさまざま排水に対して適用することができる。
【図面の簡単な説明】
【００７３】
【図１】本発明の一実施例における排水処理槽の構成図
【図２】本発明の一実施例における排水処理槽の構成図
【図３】本発明の一実施例における排水処理槽を上から見た構成図
【図４】本発明の他の実施例における排水処理槽を上から見た構成図
【図５】本発明の他の実施例における排水処理槽の構成図
【図６】本発明の他の実施例における排水処理槽の上から見た構成図
【図７】従来の全面曝気式排水処理槽の構成図
【図８】従来の準全面曝気式排水処理槽の構成図
【図９】従来の旋回流式排水処理槽の構成図
【図１０】従来の排水処理槽の構成図
【符号の説明】
【００７４】
１、４１  排水処理槽
２ａ〜２ｈ  エアレーター
３ａ、３ｂ  空気配管
４ａ、４ｂ  気泡噴流
５      ダウンフロー
９ａ〜９ｄ  空気量調節弁
１０    流入管
１１    流出管
１５    開口部
２０ａ、２０ｂ  表層流
２１、２１ｃ  衝突線
２２ａ、２３ａ  衝突点
２２ｂ〜２２ｅ、２３ｂ〜２３ｅ  衝突線
３１    表層流案内板
３１ｒ  ラジアル表層流案内板
３２ａ〜３２ｄ  エアレーター
３３ａ〜３３ｄ  空気配管
４２ｆ  中心エアレーター
４２ｇ  内周エアレーター
４４ｆ  中心気泡噴流
４４ｇ  内周気泡噴流
４９ｆ  中心空気量調整弁
４９ｇ  内周空気量調整弁
５１    照明、赤外線照明
５２    赤外線カメラ
１０１  排水処理槽
１０２  散気装置
１０３  空気配管
１０４  気泡噴流
１０６  案内板
１０７  仕切板
１０８  水路形成板
１２０  表層流
【図１】
2008073615.tif 000003
【図２】
2008073615.tif 000004
【図３】
2008073615.tif 000005
【図４】
2008073615.tif 000006
【図５】
2008073615.tif 000007
【図６】
2008073615.tif 000008
【図７】
2008073615.tif 000009
【図８】
2008073615.tif 000010
【図９】
2008073615.tif 000011
【図１０】
2008073615.tif 000012